(57)【要約】      （修正有）【課題】任意の形状の表示パネル構造を提供する。【解決手段】基板、第一方向に沿って前記基板に平行に設置される複数本のゲート線ｇ１〜ｇ３、第二方向に沿って前記基板に平行に設置される複数本のデータ線Ｄｎ−３〜Ｄｎ、複数の画素ユニット１８１、及び複数のダミー画素ユニット１９１を備える。なお、複数のダミー画素ユニット１９１は第一方向に沿って延設される第一領域１１のダミー画素ユニット１９１、第二方向に沿って延設される第二領域１２のダミー画素ユニット１９１、及び第一領域１１と第二領域１２との間に設置される第三領域１３のダミー画素ユニット１９１を更に具備する。前記第三領域１３のこれらダミー画素ユニット１９１は、これらゲート線ｇ１〜ｇ３の内の何れか１本及びこれら前記データ線Ｄｎ−３〜ｎの内の何れか１本を更に含む。【選択図】図６Ａ
2015215599.tif 000002
【特許請求の範囲】
【請求項１】
表示領域及び周辺領域を含み、前記周辺領域により前記表示領域が包囲される基板と、
第一方向に沿って前記基板に平行に設置され、且つ前記表示領域から前記周辺領域まで延伸される複数本のゲート線と、
第二方向に沿って前記基板に平行に設置されると共に前記第一方向は第二方向に平行にならず、且つ前記表示領域から前記周辺領域まで延伸される複数本のデータ線と、
前記表示領域に位置される複数の画素ユニットと、
前記周辺領域に位置される複数のダミー画素ユニットとを備え、
ここでは、前記複数のそれぞれの画素ユニットは隣接する２本のこれら前記ゲート線及び隣接する２本のこれら前記データ線により各々画定され、
また、前記複数のダミー画素ユニットは第一領域のダミー画素ユニット、第二領域のダミー画素ユニット、及び第三領域のダミー画素ユニットで構成され、前記第一領域のダミー画素ユニットは前記第一方向に沿って延設され、前記第二領域のダミー画素ユニットは前記第二方向に沿って延設され、第三領域のダミー画素ユニットは前記第一領域と前記第二領域との間に設置され、前記第三領域のこれら前記ダミー画素ユニットはこれら前記ゲート線の内の何れか１本及びこれら前記データ線の内の何れか１本を含むことを特徴とする表示パネル構造。
【請求項２】
これら前記ゲート線を駆動させるためのゲートドライブと、
これら前記データ線を駆動させるためのデータドライブとを更に備えることを特徴とする、請求項１記載の表示パネル構造。
【請求項３】
前記第三領域のダミー画素ユニットは薄膜トランジスタを備え、前記薄膜トランジスタは前記ゲート線に接続されるゲート、及び前記データ線にフローティングされるドレイン或いはソースを含むことを特徴とする、請求項１記載の表示パネル構造。
【請求項４】
前記第三領域のダミー画素ユニットは薄膜トランジスタを備え、前記薄膜トランジスタは前記ゲート線にフローティングされるゲート、及び前記データ線に接続されるドレイン或いはソースを含むことを特徴とする、請求項１記載の表示パネル構造。
【請求項５】
前記第三領域のダミー画素ユニットは薄膜トランジスタを備え、前記薄膜トランジスタは前記ゲート線にフローティングされるゲート、及び前記データ線にフローティングされるドレイン或いはソースを含むことを特徴とする、請求項１記載の表示パネル構造。
【請求項６】
前記第一方向に沿って前記基板に延設されると共に前記第一領域のダミー画素ユニットを通過させる少なくとも１本のダミーゲート線と、
前記第二方向沿って前記基板に延設されると共に前記第二領域のダミー画素ユニットを通過させる少なくとも１本のダミーデータ線とを更に備えることを特徴とする、請求項３、４或いは５の何れか１項記載の表示パネル構造。
【請求項７】
前記第一領域のダミー画素ユニットは少なくとも１つの薄膜トランジスタを備え、前記薄膜トランジスタは前記ダミーゲート線に接続されるゲート、及び前記データ線に接続されるドレイン或いはソースを含むことを特徴とする、請求項６記載の表示パネル構造。
【請求項８】
前記第二領域のダミー画素ユニットは少なくとも１つの薄膜トランジスタを備え、前記薄膜トランジスタはこれら前記ゲート線の内の１本に接続されるゲート、及び前記ダミーデータ線に接続されるドレイン或いはソースを含むことを特徴とする、請求項７記載の表示パネル構造。
【請求項９】
前記ダミーゲート線は前記第二領域のダミー画素ユニットを更に通過させることを特徴とする、請求項７記載の表示パネル構造。
【請求項１０】
前記第二領域のダミー画素ユニットは少なくとも１つの薄膜トランジスタを備え、前記薄膜トランジスタは前記ダミーゲート線に接続されるゲート、及び前記ダミーデータ線に接続されるドレイン或いはソースを含むことを特徴とする、請求項９記載の表示パネル構造。
【請求項１１】
前記ダミーゲート線は少なくとも１つのブリッジを有し、前記ダミーゲート線によりこれら前記ゲート線に横架することを特徴とする、請求項１０記載の表示パネル構造。
【請求項１２】
前記ダミーゲート線はこれら前記ゲート線の内の何れか１本に接続されることを特徴とする、請求項６記載の表示パネル構造。
【請求項１３】
前記第一領域のダミー画素ユニットは少なくとも１つの薄膜トランジスタを備え、前記薄膜トランジスタは前記ダミーゲート線に接続されるゲート、及びこれら前記データ線の内の何れか１本にフローティングされるドレイン或いはソースを含むことを特徴とする、請求項１２記載の表示パネル構造。
【請求項１４】
前記第二領域のダミー画素ユニットは少なくとも１つの薄膜トランジスタを備え、前記薄膜トランジスタはこれら前記ゲート線に少なくとも接続されるゲート、及び前記ダミーデータ線に接続されるドレイン或いはソースを含むことを特徴とする、請求項１３記載の表示パネル構造。
【請求項１５】
前記ダミーゲート線は前記第二領域のダミー画素ユニットを更に通過させることを特徴とする、請求項１３記載の表示パネル構造。
【請求項１６】
前記第二領域のダミー画素ユニットは少なくとも１つの薄膜トランジスタを備え、前記薄膜トランジスタは前記ダミーゲート線に接続されるゲート、及び前記ダミーデータ線に接続されるドレイン或いはソースを含むことを特徴とする、請求項１５記載の表示パネル構造。
【請求項１７】
前記ダミーゲート線は少なくとも１つのブリッジを有し、前記ダミーゲート線によりこれら前記ゲート線に横架することを特徴とする、請求項１６記載の表示パネル構造。
【請求項１８】
前記第三領域のダミー画素ユニットは第一薄膜トランジスタ及び第二薄膜トランジスタを備えることを特徴とする、請求項６記載の表示パネル構造。
【請求項１９】
前記第一薄膜トランジスタは前記少なくとも１本のダミーゲート線に接続されるゲート、及びこれら前記データ線の内の何れか１本に接続或いはフローティングされるドレイン或いはソースを備え、前記第二薄膜トランジスタはこれら前記ゲート線の内の何れか１本に接続されるゲート、及びデータ線にフローティングされるドレイン或いはソースを含むことを特徴とする、請求項１８記載の表示パネル構造。
【発明の詳細な説明】
【技術分野】
【０００１】
本発明は、表示パネル構造に関する。
【背景技術】
【０００２】
多種多様な平面の表示器が存在する中、表示パネルの構造は１種類の“矩形”形状しかないのが現状である。例えば、図１は、矩形の表示パネル構造のダミー画素回路であり、通常はダミーゲート線にデータ線が組み合わされる方式か、或いはダミーデータ線にゲート線が組み合わされる方式によりダミー画素ユニット構造９１が構成される。
【発明の概要】
【発明が解決しようとする課題】
【０００３】
しかしながら、前述した従来の技術では、異なる形状の表示パネル構造を提供する場合、上述の方式では不適当である。
【０００４】
そこで、本発明者は上記の欠点が改善可能と考え、鋭意検討を重ねた結果、矩形の表示パネル構造に限られず、任意の形状の表示パネル構造に異なる構造のダミー画素ユニットを組み合わせ、放電される静電気からの保護効果を提供する。
【０００５】
本発明は、このような従来の問題に鑑みてなされたものであり、その目的とするところは、表示パネル構造を提供することを主目的とする。
【課題を解決するための手段】
【０００６】
上述した課題を解決し、目的を達成するために、上記目的を達成するための本発明に係る表示パネル構造は、表示領域及び周辺領域を含み、前記周辺領域により前記表示領域が包囲される基板と、第一方向に沿って前記基板に平行に設置され、且つ前記表示領域から前記周辺領域まで延伸される複数本のゲート線と、第二方向に沿って前記基板に平行に設置されると共に前記第一方向は第二方向に平行にならず、且つ前記表示領域から前記周辺領域まで延伸される複数本のデータ線と、前記表示領域に位置される複数の画素ユニットと、前記周辺領域に位置される複数のダミー画素ユニットとを備え、ここでは、前記複数のそれぞれの画素ユニットは隣接する２本のこれら前記ゲート線及び隣接する２本のこれら前記データ線により各々画定され、また、前記複数のダミー画素ユニットは第一領域のダミー画素ユニット、第二領域のダミー画素ユニット、及び第三領域のダミー画素ユニットで構成され、前記第一領域のダミー画素ユニットは前記第一方向に沿って延設され、前記第二領域のダミー画素ユニットは前記第二方向に沿って延設され、第三領域のダミー画素ユニットは前記第一領域と前記第二領域との間に設置され、前記第三領域のこれら前記ダミー画素ユニットはこれら前記ゲート線の内の何れか１本及びこれら前記データ線の内の何れか１本を含むことを特徴とする。
【０００７】
これにより、本発明に係るダミー画素ユニットの特殊な構造及び多様性により、自由形状の表示パネル構造を提供し、表示パネル構造を矩形のみに限定させない。即ち、特殊な形状の表示パネル構造の製品が必要な場合に、本発明の表示パネル構造を利用できる。
【発明の効果】
【０００８】
本発明によれば、任意の形状の表示パネル構造がダミー画素ユニット、ダミーゲート線、及びダミーデータ線を具備し、放電される静電気からの保護効果を提供する。
【図面の簡単な説明】
【０００９】
【図１】従来の矩形表示パネル構造を示す概略図である。
【図２】本発明に係る表示パネル構造の全体を示す概略図である。
【図３Ａ】本発明の第１実施形態による表示パネル構造の部分の詳細構成を示す概略図である。
【図３Ｂ】本発明の第２実施形態による表示パネル構造の部分の詳細構成を示す概略図である。
【図３Ｃ】本発明の第３実施形態による表示パネル構造の部分の詳細構成を示す概略図である。
【図４Ａ】本発明の第４実施形態による表示パネル構造の部分の詳細構成を示す概略図である。
【図４Ｂ】本発明の第５実施形態による表示パネル構造の部分の詳細構成を示す概略図である。
【図４Ｃ】本発明の第６実施形態による表示パネル構造の部分の詳細構成を示す概略図である。
【図５】本発明に係る表示パネル構造におけるブリッジ構成図である。
【図６Ａ】本発明の第７実施形態による表示パネル構造の部分の詳細構成を示す概略図である。
【図６Ｂ】本発明の第８実施形態による表示パネル構造の部分の詳細構成を示す概略図である。
【図６Ｃ】本発明の第９実施形態による表示パネル構造の部分の詳細構成を示す概略図である。
【発明を実施するための形態】
【００１０】
以下に図面を参照して、本発明を実施するための形態について、詳細に説明する。なお、本発明は、以下に説明する実施形態に限定されるものではない。
＜第１実施形態＞
【００１１】
以下、本発明の具体的な実施形態について添付図面に基づき説明する。図２は本発明に係る表示パネル構造の全体を示す概略図である。表示パネル構造１は円形の表示パネルを例に説明するが、但し本発明はこれに限定されず、他の非矩形の表示器にも本発明の構造を適用可能である。図２に示す表示パネル構造は、基板１７(図では円形で表示する)、複数本のゲート線ｇ１〜ｇｎ、少なくとも１本のダミーゲート線ｇｍ、ゲートドライブ２、複数本のデータ線Ｄ１〜Ｄｎ、少なくとも１本のダミーデータ線Ｄｍ、データドライブ３、複数の画素１８、及び複数のダミー画素１９を備える。例えば、図２に示すように、前記基板１７は、表示領域(斜線領域)及び周辺領域(空白領域)を含み、前記周辺領域により前記表示領域が包囲され、前記複数の画素１８が前記表示領域に位置され、前記複数のダミー画素１９が前記周辺領域に位置される。また、前記複数本のゲート線ｇ１〜ｇｎ及び少なくとも１本のダミーゲート線ｇｍが同時に形成され、前記複数本のデータ線Ｄ１〜Ｄｎ及び少なくとも１本のダミーデータ線Ｄｍが同時に形成される。
【００１２】
前記複数本のゲート線ｇ１〜ｇｎは第一方向に沿って基板１７に平行に設置され、前記ゲートドライブ２はこれら前記ゲート線ｇ１〜ｇｎの駆動に用いられる。前記複数本のデータ線Ｄ１〜Ｄｎは第二方向に沿って前記基板１７に平行に設置され、且つ前記第一方向は第二方向に平行にならず、前記データドライブ３はこれら前記データ線Ｄ１〜Ｄｎの駆動に用いられる。また、これら前記ゲート線ｇ１〜ｇｎ及びこれら前記複数本のデータ線Ｄ１〜Ｄｎは前記表示領域から前記周辺領域まで延伸される。なお、これら前記ゲート線ｇ１〜ｇｎ及び前記少なくとも１本のダミーゲート線ｇｍは、これら前記データ線Ｄ１〜Ｄｎ及び前記少なくとも１本のダミーデータ線Ｄｍと相互に交差し、前記少なくとも１本のダミーゲート線ｇｍは前記第一方向に沿って前記基板１７に延設され、前記少なくとも１本のダミーデータ線Ｄｍは前記第二方向に沿って前記基板１７に延設され、且つこれら前記ダミーゲート線ｇｍ及びこれら前記ダミーデータ線Ｄｍは前記周辺領域にのみ位置される（図２参照）。
【００１３】
図３Ａは本発明の第１実施形態による表示パネル構造のＡ部分の詳細構成を示す概略図である。図では図形の表示パネルを例に説明する。各画素１８は３つの画素ユニット１８１(例えば、赤色画素ユニットＲ、緑色画素ユニットＧ、青色画素ユニットＢ)を備え、これら前記画素ユニット１８１は隣接する２本のこれら前記ゲート線ｇ１〜ｇｎ及び隣接する２本のこれら前記データ線Ｄ１〜Ｄｎにより画定される。各前記複数の画素ユニット１８１は薄膜トランジスタを有し、そのゲートは前記複数本のゲート線ｇ１〜ｇｎの内の何れか１本に接続され、各前記複数の画素ユニット１８１の薄膜トランジスタのドレイン或いはソースは前記複数本のデータ線Ｄ１〜Ｄｎの内の何れか１本に接続される。
【００１４】
図３Ａに示すように、前記複数のダミー画素１９は、前記第一方向に沿って延設される第一領域１１の複数のダミー画素ユニット１９１、前記第二方向に沿って延設される第二領域１２の複数のダミー画素ユニット１９１、及び前記第一領域１１と前記第二領域１２との間に設置される第三領域１３の複数のダミー画素ユニット１９１を備える。前記第一領域１１、第二領域１２、及び第三領域１３の前記複数のダミー画素ユニット１９１により前記複数の画素ユニット１８１が包囲される。即ち、前記周辺領域により前記表示領域が包囲され、前記第三領域１３の前記複数のダミー画素ユニット１９１は、これら前記ゲート線ｇ１〜ｇｎの内の何れか１本、及びこれら前記データ線Ｄ１〜Ｄｎの内の何れか１本を具備する。前記第一領域１１、第二領域１２、及び第三領域１３の各ダミー画素ユニット１９１は薄膜トランジスタを含み、前記第一領域１１のダミー画素ユニット１９１の前記薄膜トランジスタは、前記ダミーゲート線ｇｍに接続されるゲート、及び前記データ線Ｄ１〜Ｄｎの内の何れか１本に接続されるドレイン或いはソースを備え、前記ダミーゲート線ｇｍは前記第一領域１１のダミー画素ユニット１９１を通過させる。前記第二領域１２のダミー画素ユニット１９１の前記薄膜トランジスタは、これら前記ゲート線ｇ１〜ｇｎの内の何れか１本に接続されるゲート、及び前記ダミーデータ線Ｄｍに接続されるドレイン或いはソースで構成され、前記ダミーデータ線Ｄｍは前記第二領域１２のダミー画素ユニット１９１を通過させる。前記第三領域１３のダミー画素ユニット１９１の前記薄膜トランジスタは、これら前記ゲート線ｇ１〜ｇｎの内の何れか１本に接続されるゲート、及び前記データ線Ｄ１〜Ｄｎにフローティング（floating）されるドレイン或いはソースを備える。この好ましい実施形態では、円辺の表示パネル構造１の右上の円辺の概略図であり、表示パネル構造１の左上、右下、及び左下の円辺は共に対称に相似する配置になる。
＜第２実施形態＞
【００１５】
図３Ｂは本発明の第２実施形態による表示パネル構造のＡ部分の詳細構成を示す概略図である。構造は第１実施形態に大方相等するが、しかし、前記第三領域１３のダミー画素ユニット１９１の前記薄膜トランジスタのゲートがこれら前記ゲート線ｇ１〜ｇｎにフローティング（floating）され、且つドレイン或いはソースが前記複数本のデータ線Ｄ１〜Ｄｎの内の何れか１本に接続される。
＜第３実施形態＞
【００１６】
図３Ｃは本発明の第３実施形態による表示パネル構造のＡ部分の詳細構成を示す概略図である。構造は第１実施形態にほぼ相等するが、しかし、前記第三領域１３のダミー画素ユニット１９１の前記薄膜トランジスタのゲートがこれら前記ゲート線ｇ１〜ｇｎにフローティング（floating）され、且つドレイン或いはソースがこれら前記データ線Ｄ１〜Ｄｎにフローティング（floating）される。
＜第４実施形態＞
【００１７】
図４Ａは本発明の第４実施形態による表示パネル構造のＡ部分の詳細構成を示す概略図である。構造は第１実施形態に大体相等するが、しかし、前記ダミーゲート線ｇｍが前記第二領域１２のダミー画素ユニット１９１を更に通過させ、前記第二領域１２のダミー画素ユニット１９１の前記薄膜トランジスタが、前記ダミーゲート線ｇｍに接続されるゲート、及び前記ダミーデータ線Ｄｍに接続されるドレイン或いはソースを備える。また、図５は本発明による自由形状の表示パネル構造のブリッジ構造であり、前記ダミーゲート線ｇｍは少なくとも１つのブリッジ６を有し、前記ダミーゲート線ｇｍによりこれら前記ゲート線ｇ１〜ｇｎに横架する。
＜第５実施形態＞
【００１８】
図４Ｂは本発明の第５実施形態による表示パネル構造のＡ部分の詳細構成を示す概略図である。構造は第１実施形態に大方相等するが、しかし、前記ダミーゲート線ｇｍがこれら前記ゲート線ｇ１〜ｇｎの内の何れか１本に接続され、前記第一領域１１のダミー画素ユニット１９１の前記薄膜トランジスタが、前記ダミーゲート線ｇｍに接続されるゲート、及びこれら前記データ線Ｄ１〜Ｄｎにフローティング（floating）されるドレイン或いはソースを備える。
＜第６実施形態＞
【００１９】
図４Ｃは本発明の第６実施形態による表示パネル構造のＡ部分の詳細構成を示す概略図である。構造は第１実施形態にほぼ相等するが、しかし、前記ダミーゲート線ｇｍがこれら前記ゲート線ｇ１〜ｇｎの内の何れか１本に接続され、前記ダミーゲート線ｇｍが前記第二領域１２のダミー画素ユニット１９１を更に通過させ、前記第一領域１１のダミー画素ユニット１９１の前記薄膜トランジスタが、前記ダミーゲート線ｇｍに接続されるゲート、及びこれら前記データ線Ｄ１〜Ｄｎにフローティング（floating）されるドレイン或いはソースを備え、前記第二領域１２のダミー画素ユニット１９１の前記薄膜トランジスタが、前記ダミーゲート線ｇｍに接続されるゲート、及び前記ダミーデータ線Ｄｍに接続されるドレイン或いはソースを含む。また、前記ダミーゲート線ｇｍは少なくとも１つのブリッジ６を有し、前記ダミーゲート線ｇｍによりこれら前記ゲート線ｇ２〜ｇｎに横架する（図５参照）。
＜第７実施形態＞
【００２０】
図６Aは本発明の第７実施形態による表示パネル構造のＡ部分の詳細構成を示す概略図である。構造は第１実施形態に大体相等するが、しかし、前記第一領域１１、第二領域１２、及び第三領域１３の各ダミー画素ユニット１９１が上下に配置される２つの第一薄膜トランジスタ４及び第二薄膜トランジスタ５を備え、前記第一領域１１のダミー画素ユニット１９１の前記第一薄膜トランジスタ４及び第二薄膜トランジスタ５のゲートが前記ダミーゲート線ｇｍに接続され、前記第二領域１２及び第三領域１３のダミー画素ユニット１９１の前記第一薄膜トランジスタ４及び第二薄膜トランジスタ５のゲートがこれら前記ゲート線ｇ１〜ｇｎの内の何れか１本に接続され、前記第一領域１１の各ダミー画素ユニット１９１の前記第一薄膜トランジスタ４及び第二薄膜トランジスタ５のドレイン或いはソースがこれら前記データ線Ｄ１〜Ｄｎの内の何れか１本に接続され、第二領域１２の各ダミー画素ユニット１９１の前記第一薄膜トランジスタ４及び第二薄膜トランジスタ５のドレイン或いはソースが前記少なくとも１本のダミーデータ線Ｄｍに接続され、これら前記ダミーデータ線Ｄｍは実際に接続されるわけではなく、第三領域１３の各ダミー画素ユニット１９１の前記第一薄膜トランジスタ４及び第二薄膜トランジスタ５のドレイン或いはソースがこれら前記データ線Ｄ１〜Ｄｎにフローティングされる。
＜第８実施形態＞
【００２１】
図６Ｂは本発明の第８実施形態による表示パネル構造のＡ部分の詳細構成を示す概略図である。構造は第７実施形態にほぼ相等するが、しかし、前記ダミーゲート線ｇｍが前記第二領域１２及び第三領域１３のダミー画素ユニット１９１を更に通過させ、前記第二領域１２及び前記第三領域１３の各ダミー画素ユニット１９１の前記第一薄膜トランジスタ４のゲートが前記ダミーゲート線ｇｍに接続され、前記第三領域１３の各前記ダミー画素ユニット１９１の前記第一薄膜トランジスタ４のドレイン或いはソースが前記複数本のデータ線Ｄ１〜Ｄｎの内の何れか１本に接続される。また、前記ダミーゲート線ｇｍは少なくとも１つのブリッジ６を有し、前記ダミーゲート線ｇｍによりこれら前記ゲート線ｇ１〜ｇｎに横架する（図５参照）。
＜第９実施形態＞
【００２２】
図６Ｃは本発明の第９実施形態による表示パネル構造のＡ部分の詳細構成を示す概略図である。構造は第７実施形態に大方相等するが、しかし、前記ダミーゲート線ｇｍが前記第二領域１２及び第三領域１３のダミー画素ユニット１９１を更に通過させ、前記第二領域１２及び前記第三領域１３の各前記複数のダミー画素ユニット１９１の前記第二薄膜トランジスタ５のゲートが前記ダミーゲート線ｇｍに接続され、前記第三領域１３の各ダミー画素ユニット１９１の前記第二薄膜トランジスタ５のドレイン或いはソースが前記複数本のデータ線Ｄ１〜Ｄｎの内の何れか１本に接続される。また、前記ダミーゲート線ｇｍは少なくとも１つのブリッジ６を有し、前記ダミーゲート線ｇｍによりこれら前記ゲート線ｇ１〜ｇｎに横架する（図５参照）。
【００２３】
結論として、以上のダミー画素回路の配置により、任意の形状の表示パネル構造に異なる構造のダミー画素ユニットを組み合わせて、表示パネルが放電される静電気からの保護効果を提供する。
【００２４】
以上、本発明の実施形態について図面を参照して詳述したが、具体的な構成はこの実施形態に限られるものではなく、本発明の要旨を逸脱しない範囲の設計変更等も含まれる。
【符号の説明】
【００２５】
１  表示パネル構造
２  ゲートドライブ
３  データドライブ
４  第一トランジスタ
５  第二トランジスタ
６  ブリッジ
１１  第一領域
１２  第二領域
１３  第三領域
１８  画素
１８１  画素ユニット
１９  ダミー画素
１９１  ダミー画素ユニット
１７  基板
ｇ１~ｇｎ  ゲート線
ｇｍ    ダミーゲート線
Ｄ１~Ｄｎ  データ線
Ｄｍ  ダミーデータ線
９１  ダミー画素ユニット構造
【図１】
2015215599.tif 000003
【図２】
2015215599.tif 000004
【図３Ａ】
2015215599.tif 000005
【図３Ｂ】
2015215599.tif 000006
【図３Ｃ】
2015215599.tif 000007
【図４Ａ】
2015215599.tif 000008
【図４Ｂ】
2015215599.tif 000009
【図４Ｃ】
2015215599.tif 000010
【図５】
2015215599.tif 000011
【図６Ａ】
2015215599.tif 000012
【図６Ｂ】
2015215599.tif 000013
【図６Ｃ】
2015215599.tif 000014